(57)【要約】      （修正有）【課題】未収納時には、軽量で持ち運びが自由にできスペースを取らず、かつ格納時には配達物以上のスペース取らない宅配容器でありながら、悪戯・盗難等の対策を充分考慮した宅配容器の提供と配達員が知りえるナンバーとキーの２種類の錠手段による宅配容器の開錠を実現する符号錠の提供。【解決手段】配達員は鞄形状宅配容器の符号錠２のダイアル部を納品書の受取側電話番号のナンバーに合わせマスタキーを差込み、符号錠を開錠する。配達物を畳まれた宅配容器内に入れ、ファスナ３を閉めて収納することで初めて宅配容器の形状となる構造とした。警報装置１０は宅配容器内部に取り付け、部外者の悪戯を防止し、個別のＩＤナンバーを付加した。また、ワイヤ１により玄関周りの固定物と宅配容器ダブル引き手部４の穴とワイヤ部１のリングを符号錠２のツル部に通し、施錠にて配達物等の盗難防止を図る。【選択図】図１
2005288065.tif 000002
【特許請求の範囲】
【請求項１】
受取側が留守宅や防犯上直接受取りせず、間接的に配達物を受取る宅配容器において
下枠と折り畳まれる中間部筒状体に形状を確保する複数の中間枠を有し、
配達物を縦方向から投入ができ、投入配達物に挟み込まれている中間部筒状体も上枠を持ち上げることにより下枠固定状態で中間枠と共にスムーズに追随でき，上枠を配達物上部まで持ち上げることで初めて宅配容器形状になり、宅配容器の施錠方法として上枠部に容器開閉のファスナ部の引き手をダブルにし、ダブル引き手の穴に鍵部のツルを通すことで宅配容器の施錠できることを特徴とする宅配容器。
【請求項２】
警報装置を宅配容器内部に装備し、宅配容器外部からのリモートにて作動することができ、警報装置に個別のＩＤナンバーをもたせ、同一ＩＤ又はマスタＩＤナンバー保有のリモートでないと警報装置は作動できず、宅配容器に悪戯等の接触による振動により警報装置のアラームが鳴る、空気孔と中間部筒状体素材により外部空間に威嚇に充分なアラーム音が聞こえる構造を特徴とする部外者からの悪戯や容器・配達物破損等を防止する警報装置装備の請求項１記載の宅配容器。
【請求項３】
請求項１に記載した容器開閉部ファスナのダブル引き手の穴に鍵部のツルを通す鍵を配達員が納品書で認知できる受取側電話番号によるナンバー合わせとキーとの２種類の錠手段を持つ符号錠にて宅配容器の施錠・開錠できることを特徴とする請求項１の宅配容器。
【請求項４】
上枠と下枠にマジックテープを取り付け、上枠と下枠をマジックテープで止めることにより鞄形状にし、鞄形状宅配容器の持ち運びが自由にできる取っ手を上枠側面に設けたことで、ドアノブ等に掛けることを特徴とした請求項１の宅配容器。
【請求項５】
両端リングワイヤの片側ワイヤ部リングを玄関周りの固定物に引掛け、もう片側ワイヤ部のリングと宅配容器上枠ファスナ部のダブル引き手の穴に鍵部のツルを通し、連結させて鍵を掛けることと、取手のついた大型配達物も取手部分にワイヤ部リングを通過させ、ワイヤ部リングとワイヤに鍵のツル部を通して鍵が掛けられることを特徴とした、盗難防止両端リングワイヤ活用の請求項１の宅配容器。
【発明の詳細な説明】
【技術分野】
【０００１】  本発明は宅配容器に係り、特に留守宅や防犯上間接的に配達物を受取るための宅配容器と悪戯、盗難防止としての警報装置及び両端リングワイヤと各配達員が認知できるナンバーとキーとの２種類の錠手段による符号錠に関する。
【背景技術】
【０００２】  近年、宅配業者の進展に伴い、きめ細かいサービスが行なわれている。これに伴い殆どの配送荷物が宅配されているのが現実である。受取側をみると、大会社や共同住宅内で宅配ボックスの設置がされている所は大きな問題は起きてないが、共同住宅内に宅配ボックスが設置されているケースも少なく、況してや一般家庭においても固定物の宅配ボックスを設置する環境にない。
近年留守宅も多く、また防犯上間接的に配達物を受取る希望も多く、従来このような時は殆どの場合は再配送せざるを得ないため、配送効率も悪くしているのが現状である。【０００３】  よって、近年一般家庭向け宅配ボックスの多くの提案がされているが、殆んど宅配ボックスが堅牢で固定スペースが必要であり、複数の宅配業者を意識した施錠システムが確立していないため、普及していないのが現状である。
当然１日に複数宅配業者が同一宅配ボックスに入れることなど不可能である。
これらを解決することが宅配配送業務の効率化に繋がる。
【特許文献１】  特開平９−１４０５５０
【特許文献２】  特開平６−８１５３０
【特許文献３】  特開平４−９１８７
【発明の開示】
【発明が解決しようとする課題】
【０００４】  宅配容器については防犯対策を考慮するがあまりに、堅牢で持ち運びができず、外部に常時設置する必要がある。これでは無駄なスペースや邪魔になる為、余り実用には適さない。共同住宅の宅配ボックス以外、実施例が殆んどない。
よって、軽量で常に持ち運びができ、かつ大型配達物や複数の配達物が収納できる宅配容器の提供にある。【０００５】  また、当然宅配容器に対する防犯対策として、部外者による悪戯や配達物の破損・盗難等の防止に万全を期する必要がある。【０００６】  最大の課題は宅配容器用鍵の開錠・施錠が配達員にもでき、かつ部外者には鍵の開錠が出来ないことの条件が必要である。
これは配達員が認知できるナンバーを活用した鍵の提供にある。【０００７】  また宅配容器盗難防止のため、玄関周りの固定部と宅配容器を連結し、宅配容器が持ち去られない機能が必要である。
【課題を解決するための手段】
【０００８】  本発明は、以上のような従来の欠点に鑑み、請求項１に記載の発明は、未収納時には鞄形状に収納でき、かつ軽量のため常時外部に設置しておく必要もなく、必要に応じてドアノブ等に掛けておけばよい構造とした。
宅配員はドアノブ等から外し、下枠を下にして床に置き、上枠ファスナ部ダブル引き手の鍵を開錠、ファスナを開け、配達物を投入する。
今までは、配達物投入は殆んど横方向だが、作業性を考慮し、縦方向から配達物を投入する。
配達物投入時には宅配容器が鞄形状で折り畳まれており、中間部筒状体が配達物に挟み込まれているが、下枠が固定状態で上枠を持ち上げることができ、中間部筒状体も中間枠と共に軽くスムーズに追随できる構造とした。
収納配達物上部まで上枠を持ち上げ、上枠ファスナ部ダブル引き手を閉める。
上枠は収納物に支えられ、高さ方向は収納物の形状通りで初めて宅配容器形状になることを特徴とした。
このため、配達物以上の宅配容器スペースをとることもなく、フレキシブル性もあり、大型配達物や複数の配達物も受け取り可能な宅配容器とした。【０００９】  また、請求項２に記載の発明は，配達員以外の部外者による請求項１の宅配容器への悪戯や配達物の破損・盗難防止するため、警報装置を上枠部宅配容器内部に装着し、外部から警報装置が触れられない構造にした。
宅配容器に少しでも振動を与えると警報装置アラームが鳴る仕組みとし、上枠部に設けた空気孔と音を通す中間部筒状体素材により警報アラーム音が外部に充分伝わる構造とした。
今までは、部外者の悪戯や配達物の破損・盗難防止を堅牢容器で解決していたが、請求項１の軽量容器でも部外者を威嚇することで悪戯や破損・盗難を防止した。【００１０】  タイマ設定により鳴る時間は設定することができ、１度アラームが鳴った後、再度警報装置が作動し、何度でもアラームが鳴るシステムとした。
警報装置は容器外部からリモートにてＯＮ・ＯＦＦができ、外部から警報装置のＯＮ・ＯＦＦ状況が確認できる窓を付加し、ＩＤナンバーを個々の警報装置が持つことで部外者による他リモートによる悪戯を防止した。
また各配達員はマスタＩＤナンバー保有のリモートで各個の警報装置のＯＮ・ＯＦＦができる。
よって各宅配員は安心して配達物の宅配容器収納作業ができる。収納作業終了後、再度警報装置をＯＮにして全作業終了する。【００１１】  最大の課題は請求項３に記載の発明です。
今まで配達員による請求項１の容器用鍵の施錠、開錠システムが確立していない為、宅配ボックスが普及しない要因でした。
今回の発明では、請求項１の容器の鍵として、配達員が納品書で認知できる受取側電話番号の活用とキーとの２種類の錠手段を持った符号錠の提供にある。
よって、各配達物納品書に必ず記載してある電話番号であればどの宅配業者でも可能ですが、電話番号だけでは部外者に認知される可能性もある為、キーの両方が揃わないと符号錠の開錠・施錠ができない構造になっている。
キーについては各配達員をマスタキーとし、受取側は個々のキーとした。
このことにより請求項１のフレキシブル宅配容器のため、１日に複数の宅配業者から配達物を受取ることも可能とした。
また、宅配容器内部に印鑑収納ケースがあり受領印を押す事と納品書に配達日時・配達員名を記入することで互いの確認が取れる。【００１２】  また、請求項４に記載の発明は、請求項１の宅配容器未収納時に上枠と下枠をマジックテープで止めることで容器全体がバラバラにならないのと鞄形状にし、かつ上枠に取っ手を設けることで持ち運びが自由にでき、ドアノブ等に掛けることや上枠の開閉としての役目を構成している。【００１３】  請求項５に記載の発明は、両端リングワイヤにより請求項１の宅配容器盗難防止として、片側のリングを玄関内側ノブや玄関周りの固定物に引掛け、反対側のリングと宅配容器のファスナ部ダブル引き手の穴に鍵部のツルを差込み、施錠連結することにより宅配容器盗難防止の役目をしている。【００１４】  本発明の前記ならびにその他の目的と新規な特徴は次の説明を照らし合わせて読むと、より完全に明らかになるであろう。
ただし、図面はもっぱら解説のためのものであって、本発明の技術的範囲を限定するものでない。
【発明の効果】
【００１５】  以上の説明から明らかなように、本発明の請求項１記載の発明は以上の構成とした。
未収納時の宅配容器は鞄状態になりスペースを取らず、軽くて持ち運びが自由で必要に応じてドアノブ等に掛ければ良く、固定スペースが必要ない。
収納時には配達物の高さ以上に嵩張ることはなく、フレキシブル性もあり複数の配達物が収納できる。【００１６】  また、本発明の請求項２記載の発明は以上のような構成にした。
警報装置を内部に装備することで直接警報装置に触れることを不可能とし、かつ外部に警報アラーム音が充分伝わる構造とした。
警報装置はリモートによりＯＮ・ＯＦＦし、個別ＩＤナンバーによりセキュリティを保ち、部外者を威嚇することで悪戯等を完全に防止することができる。
したがって、警報装置を装備することで、今まで多く提案されている堅牢な宅配ボックスでない請求項１の軽量な容器が実現できる。【００１７】  また、本発明の請求項３記載の発明は以上のように記載した。
配達員が認知できる納品書の受取側電話番号のナンバー活用とマスタキーにとる２種類の錠手段の符号錠により宅配容器の開錠、施錠を可能にしたことで、防犯対策も充分考慮されている。
今まで鍵の施錠・開錠システムが確立していないため、実現できなかった、配達物を留守宅や防犯上間接的に受取りたいケース等の個別宅配が実現できる。【００１８】  また、本発明の請求項４記載の発明は以上のように記載した。
未収納時、上枠と下枠をマジックテープで止めることにより鞄形状の宅配容器になり、バラバラになることを防止し、手提げ部分を設けることによりドアノブ等に掛けることができ、持ち運びにも便利にすることができる。【００１９】  また、本発明の請求項５記載の発明は以上のように構成した。
宅配容器を玄関周りの固定物とワイヤを符号錠にて連結施錠することにより宅配容器の盗難防止ができる。【００２０】  これらの請求項の宅配容器と盗難防止システムにより配達物を留守宅や防犯上間接的に受取るケースなど、今まで実現されていない宅配システムが実現できる。
このことにより、宅配業務の効率化と配達物受取側の防犯対策と利便性が得られ一挙両得となる。
【発明を実施するための最良の形態】
【００２１】  以下、図面に示す発明の宅配容器と盗難防止システムを実施するための最良の形態により、本発明を詳細に説明する。【００２２】  本実施形態の宅配容器と盗難防止システムはワイヤ１を図３・図４に示すようにドアノブや玄関周り固定物に引っ掛け、図２に示す鞄形状宅配容器のファスナ部３のダブル引き手４とワイヤ部１のリングを符号錠２にて図８に示す状態に施錠する。図３に示す玄関表側に宅配容器取っ手１５をドアノブに掛け、受取人のリモート１４にて警報装置１０をＯＮにする。
未収納宅配容器状態でも警報装置１０を作動させ、宅配容器本体１７に対する部外者による悪戯等を防止する。
ドア閉状態でもドア内側からもリモート１４による警報装置のＯＮ・ＯＦＦは可能。【００２３】  配達員は宅配容器内装備の警報装置１０のＯＮ・ＯＦＦ状況を確認窓１２で確認し、配達員のマスタＩＤ保有のリモート１４にてＯＦＦにする。
図８に示す、宅配容器の符号錠２のダイヤル２０を伝票記載の受取側電話番号にセットし、マスタキーを符号錠２の１９に差込み開錠、マジックテープ１３をはずし、ファスナ部３のダブル引き手４にて開け、図５の状態にする。【００２４】  配達物を図５の宅配容器枠内に投入する。印鑑ケース９より印鑑を取りだし受領印を押し、納品書に投入日時・配達員名を記入する。
上枠５を持ち配達物上面まで持ち上げる。このとき投入配達物の下側に畳み込まれた中間部筒状体８は挟み込まれた状態になっている。
下枠６は固定状態で中間部筒状体８と中間枠７は上枠５に追随し、スムーズに持ち上げることができる。【００２５】  上枠５を配達物上面に被せ、宅配容器上枠ファスナ部３を閉め、ワイヤ部１のリングとファスナ部のダブル引き手４の穴に符号錠部２のツルを通し、連結施錠し、図８の状態する。符号錠ダイヤル２０をランダムにしてキーを抜く、図６の状態になる。高さ方向は配達物上面に上枠５が載った状態で容器形状を形成し、初めて宅配容器形状になる。
警報装置１０を配達員マスタＩＤ保有のリモート１４にてＯＮにする。
符号錠と警報装置によって、部外者の悪戯や盗難を防止することができる。【００２６】  配達物を取り出すには、受取人が警報装置をリモート１４にてＯＦＦにし、符号錠のダイヤル２０を電話番号に合わせとキーにて開錠、配達物を取り出し、宅配容器を図２の鞄形状に収納する。【００２７】  このように構成した実施形態では今まで実現できなかった、軽量でスペースを取らず、持ち運び自由な図２の宅配容器でありながら、宅配容器・配達物に対する部外者の悪戯や盗難等を防止するために警報装置１０と図７のワイヤ１によって玄関周りの固定物と宅配容器を符号錠２にて連結施錠することで防止した。
特に部外者の悪戯等の防止に警報装置１０を装備により接触等の振動に反応し、警報装置１０のアラームが鳴るシステムでタイマによって鳴動時間を設定することができ、接触の度に何度でもアラームを鳴らすことができる。
警報装置１０は宅配容器内部に装備されているが空気孔１２と中間部筒状体８素材により部外者を威嚇、撃退に充分なアラーム音量である。
警報装置１０は外部からのリモートにてＯＮ・ＯＦＦすることができ、個別のＩＤナンバーを有しており、別のリモートに警報装置１０が反応しないよう設計されている。配達員はマスタＩＤナンバー保有のリモートにて、警報装置のＯＮ・ＯＦＦを可能とした。
また、宅配容器の施錠に符号錠を用い、配達員が認知できる受取側電話番号とマスタキーにより符号錠の施錠、開錠ができることが、今回の留守宅や防犯上間接的に配達物を配送可能にした最大の発明です。
【産業上の利用可能性】
【００２８】  本発明は個別宅配容器を製造する産業および該容器の素材加工や悪戯、盗難防止等に活用するワイヤ及び鍵、警報装置を製造する産業で利用される。
【図面の簡単な説明】
【００２９】
【図１】本発明の宅配容器の一実施形態を示す透視斜視図である。
【図２】図１の宅配容器の未収納状態を示す斜視図である。
【図３】玄関ノブに図２の未収納容器をセットした一実施形態を示す斜視図である。
【図４】玄関周り固定物へのワイヤの掛け方の一実施形態を示す斜視図である。
【図５】図２の未収納容器に配達物を投入する為に、上枠を開けた一実施形態図である。
【図６】配達物を宅配容器投入完了後の一実施形態を示す斜視図である。
【図７】盗難防止用両端リングワイヤ平面図
【図８】宅配容器とワイヤを符号錠にて連結施錠した拡大斜視図
【図９】取手付き配達物施錠の一実施形態を示す斜視図である。
【図１０】符号錠一形態拡大斜視図である。
【符号の説明】
【００３０】１  盗難防止用連結ワイヤ          ２  符号錠
３  ファスナ                      ４  ファスナダブル引き手
５  上枠                          ６  下枠
７  中間枠                        ８  中間部筒状体
９  印鑑収納部                    １０  警報装置
１１  警報装置ＯＮ・ＯＦＦ確認窓  １２  空気孔
１３  マジックテープ              １４  警報装置リモート
１５  取っ手                      １６  収納物
１７  宅配容器本体                １８  取手付配達物
１９  符号錠キー差込部            ２０  符号錠ダイヤル部
【図１】
2005288065.tif 000003
【図２】
2005288065.tif 000004
【図３】
2005288065.tif 000005
【図４】
2005288065.tif 000006
【図５】
2005288065.tif 000007
【図６】
2005288065.tif 000008
【図７】
2005288065.tif 000009
【図８】
2005288065.tif 000010
【図９】
2005288065.tif 000011
【図１０】
2005288065.tif 000012